(57)【特許請求の範囲】
【請求項１】
上面に開口部を有し、家庭用薄葉紙を内部に収納する容器本体と、
前記開口部を覆って閉塞させるキャップ部と、を備え、前記容器本体と前記キャップ部とが一体若しくは分離可能に構成された家庭用薄葉紙収納容器において、
前記キャップ部の上面部には、前記容器本体に収納された家庭用薄葉紙を下方から上方に挿通させる第１挿通部と、前記第１挿通部を通過した家庭用薄葉紙を上方から下方に挿通させると共に当該家庭用薄葉紙を保持する第２挿通部と、が設けられ、
前記キャップ部の一側端部には、外部から指の差し入れが可能であって、前記第２挿通部を通過した家庭用薄葉紙を外部へ取り出す取出部が設けられ、
前記第２挿通部に保持された家庭用薄葉紙を前記取出部を介して下方に引っ張ることで、当該家庭用薄葉紙に設けられた切離し部により、所定の長さの家庭用薄葉紙が切り離されるように構成されていることを特徴とする家庭用薄葉紙収納容器。
【請求項２】
前記容器本体には、前記取出部を内部側から塞ぐ蓋部が備えられ、
前記蓋部は、前記取出部への指の差し入れに応じて可動若しくは変形して、前記取出部の開閉を行うことを特徴とする請求項１に記載の家庭用薄葉紙収納容器。
【請求項３】
前記蓋部は、下端部がヒンジ軸によって固定された板体であって、
前記板体は、前記取出部の外部から押圧力が作用した場合、上端部が前記取出部の内部に向かうように倒伏し、前記外部からの押圧力が解除された場合、前記取出部を塞ぐ位置に起立することを特徴とする請求項２に記載の家庭用薄葉紙収納容器。
【請求項４】
前記蓋部は、下端部が固定された板状弾性体であって、
前記板状弾性体は、前記取出部の外部から押圧力が作用した場合、上端部が前記取出部の内部に向かうように折れ曲がり、前記外部からの押圧力が解除された場合、前記取出部を塞ぐ位置に復元することを特徴とする請求項２に記載の家庭用薄葉紙収納容器。
【請求項５】
前記蓋部は、前記取出部の内部から外部に向かう凸形状の弾性体であって、
前記弾性体は、前記取出部の外部から押圧力が作用した場合、前記取出部を開く凹形状に変形し、前記外部からの押圧力が解除された場合、前記取出部を塞ぐ凸形状に復元することを特徴とする請求項２に記載の家庭用薄葉紙収納容器。
【請求項６】
前記蓋部の前記取出部の内部側周縁部に対向する縁部及び／又は前記取出部の内部側周縁部には、弾性変形可能な変形部材が備えられていることを特徴とする請求項２〜５の何れか一項に記載の家庭用薄葉紙収納容器。
【請求項７】
前記キャップ部は、前記蓋部の可動を許可する状態と阻止する状態とを切り替え可能なロック部材を備えていることを特徴とする請求項２〜６の何れか一項に記載の家庭用薄葉紙収納容器。
【請求項８】
前記第２挿通部は、前記第１挿通部より高い位置に配されることを特徴とする請求項１〜７の何れか一項に記載の家庭用薄葉紙収納容器。
【請求項９】
前記第２挿通部は、下方に向かった凸形状に形成されていることを特徴とする請求項１〜８の何れか一項に記載の家庭用薄葉紙収納容器。
【請求項１０】
前記容器本体の底面には、滑り止め防止部材が備えられていることを特徴とする請求項１〜９の何れか一項に記載の家庭用薄葉紙収納容器。
【請求項１１】
前記キャップ部の内部において、前記第１挿通部と前記第２挿通部との間には、前記第１挿通部に向かう家庭用薄葉紙が外気に触れるのを遮断するための遮断壁が備えられていることを特徴とする請求項１〜１０の何れか一項に記載の家庭用薄葉紙収納容器。
【請求項１２】
前記取出部及び前記第２挿通部が、前記容器本体の側面より外側に位置することを特徴とする請求項１〜１１の何れか一項に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、容器内部に収納されている家庭用薄葉紙を取り出すのに蓋がワンタッチで開くものや、容器内部に家庭用薄葉紙を立てた状態で収納できるものが知られている（例えば、特許文献１、２参照）。
【先行技術文献】
【特許文献】
【０００３】
【特許文献１】特開２００６−２８０６８７号公報
【特許文献２】特開２００６−２８２２４４号公報
【発明の概要】
【発明が解決しようとする課題】
【０００４】
しかしながら、上記特許文献１、２の家庭用薄葉紙収納容器では、家庭用薄葉紙を引き出す場合、その取出口にかかる摩擦が大きく、家庭用薄葉紙を引くのと逆方向に押さえないと家庭用薄葉紙収納容器が動いてしまうため、片手しか使えないシーンでの使用が不便であるという問題があった。
【０００５】
本発明の課題は、片手のみの一連の動作で家庭用薄葉紙の取り出しを行うことができる家庭用薄葉紙収納容器を提供することである。
【課題を解決するための手段】
【０００６】
前記課題を解決するために、
請求項１に記載の発明は、
上面に開口部を有し、家庭用薄葉紙を内部に収納する容器本体と、
前記開口部を覆って閉塞させるキャップ部と、を備え、前記容器本体と前記キャップ部とが一体若しくは分離可能に構成された家庭用薄葉紙収納容器において、
前記キャップ部の上面部には、前記容器本体に収納された家庭用薄葉紙を下方から上方に挿通させる第１挿通部と、前記第１挿通部を通過した家庭用薄葉紙を上方から下方に挿通させると共に当該家庭用薄葉紙を保持する第２挿通部と、が設けられ、
前記キャップ部の一側端部には、外部から指の差し入れが可能であって、前記第２挿通部を通過した家庭用薄葉紙を外部へ取り出す取出部が設けられ、
前記第２挿通部に保持された家庭用薄葉紙を前記取出部を介して下方に引っ張ることで、当該家庭用薄葉紙に設けられた切離し部により、所定の長さの家庭用薄葉紙が切り離されるように構成されていることを特徴とする。
【０００７】
また、請求項２に記載の発明は、請求項１に記載の家庭用薄葉紙収納容器において、
前記容器本体には、前記取出部を内部側から塞ぐ蓋部が備えられ、
前記蓋部は、前記取出部への指の差し入れに応じて可動若しくは変形して、前記取出部の開閉を行うことを特徴とする。
【０００８】
また、請求項３に記載の発明は、請求項２に記載の家庭用薄葉紙収納容器において、
前記蓋部は、下端部がヒンジ軸によって固定された板体であって、
前記板体は、前記取出部の外部から押圧力が作用した場合、上端部が前記取出部の内部に向かうように倒伏し、前記外部からの押圧力が解除された場合、前記取出部を塞ぐ位置に起立することを特徴とする。
【０００９】
また、請求項４に記載の発明は、請求項２に記載の家庭用薄葉紙収納容器において、
前記蓋部は、下端部が固定された板状弾性体であって、
前記板状弾性体は、前記取出部の外部から押圧力が作用した場合、上端部が前記取出部の内部に向かうように折れ曲がり、前記外部からの押圧力が解除された場合、前記取出部を塞ぐ位置に復元することを特徴とする。
【００１０】
また、請求項５に記載の発明は、請求項２に記載の家庭用薄葉紙収納容器において、
前記蓋部は、前記取出部の内部から外部に向かう凸形状の弾性体であって、
前記弾性体は、前記取出部の外部から押圧力が作用した場合、前記取出部を開く凹形状に変形し、前記外部からの押圧力が解除された場合、前記取出部を塞ぐ凸形状に復元することを特徴とする。
【００１１】
また、請求項６に記載の発明は、請求項２〜５の何れか一項に記載の家庭用薄葉紙収納容器において、
前記蓋部の前記取出部の内部側周縁部に対向する縁部及び／又は前記取出部の内部側周縁部には、弾性変形可能な変形部材が備えられていることを特徴とする。
【００１２】
また、請求項７に記載の発明は、請求項２〜６の何れか一項に記載の家庭用薄葉紙収納容器において、
前記キャップ部は、前記蓋部の可動を許可する状態と阻止する状態とを切り替え可能なロック部材を備えていることを特徴とする。
【００１３】
また、請求項８に記載の発明は、請求項１〜７の何れか一項に記載の家庭用薄葉紙収納容器において、
前記第２挿通部は、前記第１挿通部より高い位置に配されることを特徴とする。
【００１４】
また、請求項９に記載の発明は、請求項１〜８の何れか一項に記載の家庭用薄葉紙収納容器において、
前記第２挿通部は、下方に向かった凸形状に形成されていることを特徴とする。
【００１５】
また、請求項１０に記載の発明は、請求項１〜９の何れか一項に記載の家庭用薄葉紙収納容器において、
前記容器本体の底面には、滑り止め防止部材が備えられていることを特徴とする。
【００１６】
また、請求項１１に記載の発明は、請求項１〜１０の何れか一項に記載の家庭用薄葉紙収納容器において、
前記キャップ部の内部において、前記第１挿通部と前記第２挿通部との間には、前記第１挿通部に向かう家庭用薄葉紙が外気に触れるのを遮断するための遮断壁が備えられていることを特徴とする。
【００１７】
また、請求項１２に記載の発明は、請求項１〜１１の何れか一項に記載の家庭用薄葉紙収納容器において、
前記取出部及び前記第２挿通部が、前記容器本体の側面より外側に位置することを特徴とする。
【発明の効果】
【００１８】
本発明によれば、容器本体に収納された家庭用薄葉紙は、キャップ部の上部に設けられた第１挿通部、第２挿通部を挿通して、その先端部が第２挿通部に保持された状態にセットされる。そして、使用時には、第２挿通部に保持された家庭用薄葉紙の先端部が、キャップ部の一側面に設けられた取出部を介して下方に引っ張られ、家庭用薄葉紙は切離し部により所定の長さに切り離される。
このため、家庭用薄葉紙収納容器は、家庭用薄葉紙を引っ張る力により下向きに押し付けられるので、家庭用薄葉紙収納容器を押さえなくても動くことがなく、また、引っ張るだけで家庭用薄葉紙が所定の長さに切り離される。
従って、片手のみの一連の動作で家庭用薄葉紙の取り出しを行うことができる。
【図面の簡単な説明】
【００１９】
【図１】第１実施形態の家庭用薄葉紙収納容器を示す斜視図である。
【図２】図１の家庭用薄葉紙収納容器の背面図である。
【図３】図１の家庭用薄葉紙収納容器の分解斜視図である。
【図４】図１の家庭用薄葉紙収納容器のＩＶ−ＩＶ線における断面模式図である。
【図５】家庭用薄葉紙を取り出し方について説明するための図である。
【図６】容器本体の変形例を示す図である。
【図７】キャップ部の変形例を示す図である。
【図８】第２実施形態の家庭用薄葉紙収納容器のキャップ部を示す断面模式図である。
【図９】第３実施形態の家庭用薄葉紙収納容器のキャップ部を示す断面模式図である。
【図１０】第４実施形態の家庭用薄葉紙収納容器の容器本体を示す断面模式図である。
【図１１】第５実施形態の家庭用薄葉紙収納容器の容器本体を示す断面模式図である。
【図１２】第６実施形態の家庭用薄葉紙収納容器の容器本体を示す断面模式図である。
【図１３】第７実施形態の家庭用薄葉紙収納容器の容器本体及びキャップ部を示す断面模式図である。
【発明を実施するための形態】
【００２０】
以下、図を参照して、本発明に係る家庭用薄葉紙収納容器の具体的な態様を詳細に説明する。ただし、発明の範囲は、図示例に限定されない。
【００２１】
＜第１実施形態＞
先ず、構成について説明する。
家庭用薄葉紙収納容器（以下、収納容器という。）１００は、例えば、図１〜４に示すように、上面に開口部１１を有し、長尺なシートをロール状に巻回した家庭用薄葉紙Ｐを内部に収納する容器本体１０と、開口部１１を覆って閉塞させるキャップ部２０と、を備えている。
【００２２】
容器本体１０は、底部から上端部近傍までほぼ一定の円筒状であり、上面には大きく開口した開口部１１を有している。また、この容器本体１０の上端部の外周面には、周方向に沿って突起部が形成されている。
容器本体１０は、円筒状であることから、ロール状に巻回された家庭用薄葉紙Ｐ（例えば、ドライ或いはウェット状態のシートやティッシュペーパー等）をほぼ同心位置に配置して内部に収納することを可能としている。この家庭用薄葉紙Ｐは、ロールの中心側から紙片を繰り出すようになっている。
家庭用薄葉紙Ｐには、長さ方向に一定間隔をおいて切離し部としてのミシン目Ｐ１が施されており、そのミシン目Ｐ１に沿って切り離したサイズの家庭用薄葉紙Ｐを、使用者が使用するようになっている。
【００２３】
開口部１１の前端部には、キャップ部２０部に設けられた取出部２５（後述）を内部側から塞ぐ蓋部１２が設けられている。
蓋部１２は、容器本体１０の内壁面から開口部１１の中央側に向かって延出する蓋設置部１３に取り付けられている。
具体的に、蓋部１２は、取出部２５より一回り大きな四角形状の板体により形成され、その下端部がヒンジ軸１２ａによって蓋設置部１３に起立した状態で固定されている。ヒンジ軸１２ａには、ねじりコイルばねが備えられ、このねじりコイルばねの一端は、蓋部１２に固定され、他端は、蓋設置部１３に固定され、これにより、蓋部１２が前端部に向けて付勢されている。なお、ヒンジ軸１２ａには、ねじりコイルばねの他にも、例えば、板バネなどを備えることとしても良い。
そして、この蓋部１２は、取出部２５の外部から押圧力が作用した場合、ヒンジ軸１２ａを回転軸として自由端となった上端部から取出部２５の内部に向かうように倒伏すると共に、当該外部から押圧力が解除された場合、元の取出部２５を塞ぐ位置に起立するようになっている。このように、蓋部１２は、取出部２５への指の差し入れに応じて可動して、取出部２５の開閉を行う。
【００２４】
また、容器本体１０の底面には、滑り止め防止部材１５が備えられている。
滑り止め防止部材１５としては、例えば、ウレタン樹脂、シリコン樹脂又はアクリル樹脂等の合成樹脂素材等が用いられる。
滑り止め防止部材１５は、薄いシート状に形成され、容器本体１０の底面の一部又は全部（本実施形態においては、底面の左右両側）に貼付される。
なお、滑り止め防止部材１５は、バランスよく配置されればどのような配置であっても良く、例えば、水玉状に点在させてもよいし、線状部を並設させても良い。
この滑り止め防止部材１５は、家庭用薄葉紙Ｐの引き出し時に収納容器１００に対して下方に力がかかった場合の滑り止めとなって、家庭用薄葉紙Ｐをより引き出しやすくすることができる。
【００２５】
なお、容器本体１０は、例えば、ＰＥ（ポリエチレン）やＰＰ（ポリプロピレン）、ＰＥＴ（ポリエチレンテレフタレート）或いはＡＢＳ（Acrylonitrile Butadiene Styrene）樹脂等の熱可塑性樹脂を用いて、インジェクション成形、ブロー成形、ブローインジェクション成形等の金型成型により各パーツが形成されて、組み上げられる。
また、蓋部１２は、容器本体１０と別パーツとして形成されても良いし、容器本体１０と一体成型されていても良い。また、蓋部１２は、二色成型により容器本体１０と一体の別素材とされていても良い。
【００２６】
キャップ部２０は、容器本体１０に比べて丈の短い円筒状であって、その上端側は前方が後方より高くなるように緩やかに傾斜した上面部２１により閉塞され、下端側は開口となっている。
キャップ部２０の外径は容器本体１０の外径とほぼ等しく、その内周面には容器本体１０の突起部が係合する係合部が形成されている。この係合部により、キャップ部２０は、前述した容器本体１０の上端部に対して着脱可能となっている。そして、キャップ部２０が着脱可能であるため、キャップ部２０を容器本体１０から取り外した状態では、容器本体１０の内部に家庭用薄葉紙Ｐを充填することを可能とし、キャップ部２０を容器本体１０に取り付けた状態では内部の家庭用薄葉紙Ｐのロールが外に出ないように保持することを可能としている。
【００２７】
キャップ部２０の上面部２１には、家庭用薄葉紙Ｐを挿通させる第１挿通部２２及び第２挿通部２３が備えられている。
具体的には、図３、４に示すように、キャップ部２０の上面部２１には、前方から後方に亘る凹部２１ａが形成されており、この凹部２１ａに第１挿通部２２及び第２挿通部２３が設けられている。
また、凹部２１ａの前端部には、当該凹部２１ａに嵌合するように形成された小蓋２４が開閉可能に取り付けられており、小蓋２４は、閉状態において、第１挿通部２２及び第２挿通部２３の上方を覆いつつ上面部２１の天面部２１ｂを面一に形成している。
なお、小蓋２４は、家庭用薄葉紙Ｐを新たにセットする際に開状態とされる以外は、通常（特に使用時）閉状態となっている。
【００２８】
第１挿通部２２は、キャップ部２０の上面部２１（凹部２１ａ）の中央よりやや後方よりに位置する開口であって、容器本体１０に収納された家庭用薄葉紙Ｐを下方から上方に挿通させることで、当該家庭用薄葉紙Ｐを引き上げる。
【００２９】
また、第２挿通部２３は、キャップ部２０の上面部２１（凹部２１ａ）の中央よりやや前方よりに位置し、第１挿通部２２を通過した家庭用薄葉紙Ｐを上方から下方に挿通させることで、当該家庭用薄葉紙Ｐをキャップ部２０の内部前方に引き下げる。
ここで、第２挿通部２３は、全体として下方に向かった凸形状を成し、平面視で十字状の切り込み部２３ａが形成されている。切り込み部２３ａは、家庭用薄葉紙Ｐがその中心を下方に向かって通過する際に、当該家庭用薄葉紙Ｐに適度に摺動抵抗を付与するようになっている。これにより、家庭用薄葉紙Ｐの使用時にその摺動抵抗が家庭用薄葉紙Ｐに作用し、ミシン目Ｐ１からの分離が促されると共に、次の家庭用薄葉紙Ｐの先端部が切り込み部２３ａに挟まれた状態で保持されるので、次の家庭用薄葉紙Ｐの先端部をキャップ部２０の内部前方に維持することができる。
また、キャップ部２０の上面部２１が、前方が後方より高くなるように緩やかに傾斜しているため、第２挿通部２３は、第１挿通部２２より高い位置に配置されることとなる。これにより、家庭用薄葉紙Ｐのミシン目Ｐ１が、第１挿通部２２に引っ掛かって分離してしまうのが防止されている。
なお、第２挿通部２３の形状は、第１挿通部２２よりホールド力が強い形状であれば良く、その形状は平面視十字状に限定されない。
【００３０】
また、キャップ部２０の前側部（一側端部）には、第１挿通部２２及び第２挿通部２３を通過してきた家庭用薄葉紙Ｐを外部に取り出す取出部２５が備えられている。
取出部２５は、外部から指の差し入れが可能な大きさの開口である。キャップ部２０の内部前方には、第２挿通部２３を通過した家庭用薄葉紙Ｐの先端部が保持されているため、使用者は取出部２５から指を差し入れた際に、当該家庭用薄葉紙Ｐの先端部を摘むことができるようになっている。このとき、第２挿通部２３が下方に向かった凸形状であるため、取出部２５から使用者が指を入れた際に、指が届きやすくなっている。
この取出部２５は、キャップ部２０を容器本体１０に装着した場合に、容器本体１０に設けられた蓋部１２により内部側から塞がれている。
蓋部１２は、前述のように、取出部２５への指の差し入れに応じて可動するため、取出部２５は、指が差し入れられると開状態となり、指が引き抜かれると閉状態となる。
このように、取出部２５への指の出し入れと連動して蓋部１２が開閉するので、蓋部１２を開閉する別個の動作が不要で、閉め忘れの心配もない。
【００３１】
なお、キャップ部２０は、例えば、ＰＥやＰＰ、ＰＥＴ或いはＡＢＳ樹脂等の熱可塑性樹脂を用いて、インジェクション成形、ブロー成形、ブローインジェクション成形等の金型成型により各パーツが形成されて、組み上げられる。
【００３２】
次に、作用について図５を用いて説明する。
収納容器１００から家庭用薄葉紙Ｐを取り出す場合、使用者は、取出部２５に指を差し込む。取出部２５から指が指し込まれると、その押圧力によって取出部２５を塞いでいる蓋部１２が、容器内部に向かって倒伏する。
倒伏した蓋部１２の上方には第２挿通部２３が在るため、使用者の指は、第２挿通部２３に保持された家庭用薄葉紙Ｐの先端部に接触することとなる。このとき、第２挿通部２３は下方に向かった凸形状であるため、家庭用薄葉紙Ｐの先端部に指が届きやすくなっている（図５（ａ）参照）。
次に、使用者は、家庭用薄葉紙Ｐを取出部２５の外部に引っ張りだす。このとき、取出部２５は第２挿通部２３よりも斜め下方に位置するため、家庭用薄葉紙Ｐは、下向きに引っ張られることとなる（図５（ｂ）参照）。
そして、下向きに引っ張られることで、摺動抵抗が家庭用薄葉紙Ｐに作用し、ミシン目Ｐ１からの分離が促され、所定の長さの家庭用薄葉紙Ｐが取り出される（図５（ｃ）参照）。
このとき、家庭用薄葉紙Ｐは下向きに引っ張られるため、収納容器１００が下に押し付けられるため、収納容器１００は押さえなくても動くことがない。
家庭用薄葉紙Ｐが取り出されると、蓋部１２が、元の位置に起立する。
【００３３】
以上のように、本実施形態の収納容器１００によれば、容器本体１０に収納された家庭用薄葉紙Ｐは、キャップ部２０の上面部２１に設けられた第１挿通部２２、第２挿通部２３を挿通して、その先端部が第２挿通部２３に保持された状態にセットされる。そして、使用時には、第２挿通部２３に保持された家庭用薄葉紙Ｐの先端部は、キャップ部２０の前側面（一側面）に設けられた取出部２５を介して下方に引っ張られ、ミシン目Ｐ１により所定の長さに切り離される。
このため、収納容器１００は、家庭用薄葉紙Ｐを引っ張る力により下向きに押し付けられるので、押さえなくても動くことがなく、また、引っ張るだけで家庭用薄葉紙Ｐを所定の長さに切り離すころができる。
従って、片手のみの一連の動作で家庭用薄葉紙Ｐの取り出しを行うことができる。
【００３４】
また、本実施形態の収納容器１００によれば、容器本体１０には、取出部２５を内部側から塞ぐ蓋部１２が備えられ、蓋部１２は、取出部２５への指の差し入れに応じて可動して、取出部２５の開閉を行うようになっている。具体的に、本実施形態の蓋部１２は、下端部がヒンジ軸１２ａによって固定された板体であって、板体は、取出部２５の外部から押圧力が作用した場合、上端部から取出部２５の内部に向かうように倒伏すると共に、外部からの押圧力が解除された場合、取出部２５を塞ぐ位置に起立するようになっている。
このため、取出部２５への指の出し入れと連動して蓋部１２が開閉するので、蓋部１２を開閉する別個の動作が不要で、閉め忘れの心配もない。
従って、片手のみの一連の動作で、家庭用薄葉紙Ｐの取り出しと蓋部１２の開閉とを行うことができる。
【００３５】
また、本実施形態の収納容器１００によれば、第２挿通部２３は、第１挿通部２２より高い位置に配されている。
このため、家庭用薄葉紙Ｐのミシン目Ｐ１が、第１挿通部２２に引っ掛かって分離してしまうのを防止することができる。
【００３６】
また、本実施形態の収納容器１００によれば、第２挿通部２３は、下方に向かった凸形状に形成されている。
このため、取出部２５から使用者が指をいれた際に、指が届きやすくすることができる。
【００３７】
また、本実施形態の収納容器１００によれば、容器本体１０の底面には、滑り止め防止部材１５が備えられている。
このため、家庭用薄葉紙Ｐの引き出し時に収納容器１００に対して下方に力がかかった場合に、より取り出しやすくすることができる。
【００３８】
なお、本発明は、上記実施形態に限定されるものでなく、その要旨を逸脱しない範囲で種々の変形が可能である。
例えば、蓋部１２は、図６に示すように、取出部２５の内部側周縁部に対向する縁部に沿うように、弾性変形可能な変形部材１４を備えることとしても良い。
変形部材１４には、例えば、エラストマー、スポンジなどの押圧力が掛かった際に弾性変形する素材が用いられる。
この変形部材１４により、蓋部１２が取出部２５を塞いでいる状態において、蓋部１２と取出部２５の内部側周縁部との隙間が埋まり、密閉性を高めることができる。
【００３９】
また、取出部２５の内部側周縁部に、図７に示すように、弾性変形可能な変形部材２６を備えることとしても良い。
この変形部材２６は、変形部材１４と同様に、例えば、エラストマー、スポンジなどの押圧力が掛かった際に弾性変形する素材が用いられ、これにより、蓋部１２が取出部２５を塞いでいる状態において、蓋部１２と取出部２５の内部側周縁部との隙間が埋まり、密閉性を高めることができる。
また、これら変形部材１４及び変形部材２６の両方を備えることとしても良い。
【００４０】
また、上記実施形態においては、容器本体１０とキャップ部２０とが分離可能な構成を例示して説明したが、容器本体１０とキャップ部２０とを一体に構成することとしても良い。この場合、家庭用薄葉紙Ｐを、例えば、容器本体１０の底面から入れる構成とすることができる。
また、上記施形態においては、容器本体１０及びキャップ部２０として円筒状のものを例示しているが、容器本体１０の蓋部１２を設ける前側面、及びキャップ部２０の取出部２５を設ける前側面を平面としても良い。また、容器本体１０及びキャップ部２０を、角柱状としても良い。これにより、蓋部１２が取出部２５を塞ぎやすく、密閉性を高めることができる。
【００４１】
また、第１挿通部２２及び第２挿通部は、その一部が繋がっていても良い。
また、第２挿通部２３の形状は下方に向かった凸形状に限定されず、例えば、凹部２１ａと面一であっても良い。
また、第２挿通部２３は、別パーツとして形成されても良いし、二色成型によりキャップ部２０の上面部２１（凹部２１ａ）と一体の別素材となっていても良い。また、第２挿通部２３は、上面部２１（凹部２１ａ）自体に設けた孔部と、別パーツに設けた孔部とを組み合わせて形成しても良い。
【００４２】
また、家庭用薄葉紙Ｐは、切離し部を備えた長尺なシートであれば良く、その構成は上記実施形態に限定されない。
例えば、上記実施形態においては、家庭用薄葉紙Ｐとして、長尺なシートをロール状に巻回したものを例示しているが、家庭用薄葉紙Ｐは、長尺なシートをジグザグに畳んだもの等であっても良い。
また、家庭用薄葉紙Ｐは、切離し部としてミシン目Ｐ１を備えることとしているが、かかる切離し部は、例えば、目付けを低くしたり、構成繊維のスペックを異ならせるなどすることで、引張強度が周辺より弱い構成であれば、ミシン目でなくとも良い。
このような構成であっても、長尺なシートである家庭用薄葉紙Ｐを、片手のみの一連の動作で所定の長さずつ分離しつつ取り出すことが可能である。
【００４３】
＜第２実施形態＞
次に、本発明の第２実施形態について説明する。
なお、第１実施形態と同様の構成については、同一の符号を付してその説明は省略する。
【００４４】
本実施形態においては、図８に示すように、キャップ部２０Ａは、蓋部１２の可動を許可する状態と阻止する状態とに切り替え可能なロック部材２７を備えている。
具体的に、このロック部材２７は、例えば、キャップ部２０Ａの第２挿通部２３より前方であって蓋部１２より後方となる位置に、上下動可能に挿入された板体である。
ロック部材２７は、家庭用薄葉紙Ｐの未使用時には、蓋部１２に当接するように押し込まれて（蓋部１２の可動を阻止する状態となって）当該蓋部１２が倒伏するのを阻止し、家庭用薄葉紙Ｐの使用時には、使用者によって引き上げられて（蓋部１２の可動を許可する状態となって）、当該蓋部１２が倒伏するのを許容する。
【００４５】
これにより、蓋部１２の可動にロックがかかって、例えば、持ち運び時などに不要意に蓋部１２が開いてしまうのを防止することができる。
【００４６】
なお、ロック部材２７は、蓋部１２の可動を切り替えることができるものであればその形状や取付位置に限定はなく、例えば、上記したような板体の他にも、棒状や楔形の部材を用いることもできる。
【００４７】
＜第３実施形態＞
次に、本発明の第３実施形態について説明する。
なお、第１実施形態と同様の構成については、同一の符号を付してその説明は省略する。
【００４８】
本実施形態においては、図９に示すように、キャップ部２０Ｂは、その内部において、第１挿通部２２と第２挿通部２３との間に、第１挿通部２２に向かう家庭用薄葉紙Ｐが外気に触れるのを遮断するための遮断壁２８を備えている。
具体的に、この遮断壁２８は、キャップ部２０Ｂの内部において、第１挿通部２２と第２挿通部２３との間を遮断する起立した第１面２８ａと、当該第１面２８ａの下端部から前方に延出する第２面２８ｂと、からなる。
第２面２８ｂの前部には、キャップ部２０Ｂを容器本体１０に取り付ける際に蓋部１２を下方から挿入するための開口部２８ｃが形成されている。この開口部２８ｃは、キャップ部２０Ｂを容器本体１０に取り付けることにより閉塞する大きさに形成されている。
このため、キャップ部２０Ｂの内部は、第１面２８ａ後方の第１領域Ｓ１と、第１面２８ａ前方の第２領域Ｓ２とに分離される。
第１領域Ｓ１は、容器本体１０からの家庭用薄葉紙Ｐが第１挿通部２２に向かう際に通過する領域であり、第２領域Ｓ２は、第２挿通部２３からの家庭用薄葉紙Ｐが取出部２５に向かう際に通過する領域である。
【００４９】
これにより、家庭用薄葉紙Ｐを取り出す際に、取出部２５が開いたとしても、遮断壁２８により第１領域Ｓ１に外気が流れこむのが遮断されるため、家庭用薄葉紙Ｐが乾燥しにくく、また、容器本体中に溜まった液の漏れ出しも防ぐことができる。
【００５０】
＜第４実施形態＞
次に、本発明の第４実施形態について説明する。
なお、第１実施形態と同様の構成については、同一の符号を付してその説明は省略する。
【００５１】
本実施形態においては、図１０（ａ）に示すように、容器本体１０Ａは、板状弾性体により形成された蓋部１７を備えている。
具体的に、この蓋部１７は、その下端部が容器本体１０Ａの蓋設置部１３に固定されている。そして、蓋部１７は、取出部２５の外部から押圧力が作用した場合、図１０（ｂ）に示すように、上端部が取出部２５の内部に向かうように折れ曲がり、外部からの押圧力が解除された場合、元の取出部２５を塞ぐ位置に復元するようになっている。
なお、蓋部１７は、容器本体１０Ａと別パーツとして形成されても良いし、容器本体１０Ａと一体成型されていても良い。また、蓋部１７は、二色成型により容器本体１０Ａと一体の別素材とされていても良い。
【００５２】
これにより、片手のみの一連の動作で、家庭用薄葉紙Ｐの取り出しと蓋部１７の開閉とを行うことができる。また、蓋部１７自体が変形する素材であるためヒンジ機構等が必要なく、より簡単な構成で取出部の開閉を行う蓋部を形成することができる。
また、収納容器１００の内部の液体の揮発や凝集により当該収納容器１００の内圧が変化した場合に、蓋部１７は膨張・収縮して容積を変化させることができるため、蒸散を防ぐことができる。
【００５３】
＜第５実施形態＞
次に、本発明の第５実施形態について説明する。
なお、第１実施形態と同様の構成については、同一の符号を付してその説明は省略する。
【００５４】
本実施形態においては、図１１（ａ）に示すように、容器本体１０Ｂは、弾性部材により形成された蓋部１８を備えている。
具体的に、この蓋部１８は、当該蓋部１８を後方下部から保持する保持部１８ａによって容器本体１０Ｂの蓋設置部１３に固定された球形の弾性部材であって、キャップ部２０の取出部２５の内部から外部に向かって押し付けられて凸形状を成している。
ここで、弾性部材としては、例えば、シリコン、オレフィン、ラテックス、イソプレン、ブタジエン等が用いられ、このため、蓋部１８は、取出部２５の外部から押圧力が作用した場合、図１１（ｂ）に示すように、取出部２５を開く凹形状に変形すると共に、外部からの押圧力が解除された場合、取出部２５を塞ぐ凸形状に復元するようになっている。
なお、蓋部１８は、容器本体１０Ｂと別パーツとして形成されても良いし、容器本体１０Ｂと一体成型されていても良い。また、蓋部１８は、二色成型により容器本体１０Ｂと一体の別素材とされていても良い。
【００５５】
これにより、片手のみの一連の動作で、家庭用薄葉紙Ｐの取り出しと蓋部１８の開閉とを行うことができる。また、収納容器１００の内部の液体の揮発や凝集により当該収納容器１００の内圧が変化した場合に、蓋部１８は膨張・収縮して容積を変化させることができるため、蒸散を防ぐことができる。
【００５６】
＜第６実施形態＞
次に、本発明の第６実施形態について説明する。
なお、第１実施形態と同様の構成については、同一の符号を付してその説明は省略する。
【００５７】
本実施形態においては、図１２（ａ）に示すように、容器本体１０Ｃは、弾性部材により形成された蓋部１９を備えている。
具体的に、この蓋部１９は、その上端部が第２挿通部２３の後方に固定され、その下端部が蓋設置部１３に固定され、キャップ部２０の取出部２５の内部から外部に向かって凸形状を成す弾性部材である。
ここで、弾性部材としては、例えば、シリコン、オレフィン、ラテックス、イソプレン、ブタジエン等が用いられ、このため、蓋部１９は、取出部２５の外部から押圧力が作用した場合、図１２（ｂ）に示すように、取出部２５を開く凹形状に変形すると共に、外部からの押圧力が解除された場合、取出部２５を塞ぐ凸形状に復元するようになっている。
なお、蓋部１９は、容器本体１０Ｃと別パーツとして形成されても良いし、容器本体１０Ｃと一体成型されていても良い。また、蓋部１９は、二色成型により容器本体１０Ｃと一体の別素材とされていても良い。
【００５８】
これにより、片手のみの一連の動作で、家庭用薄葉紙Ｐの取り出しと蓋部１９の開閉とを行うことができる。また、収納容器１００の内部の液体の揮発や凝集により当該収納容器１００の内圧が変化した場合に、蓋部１９は膨張・収縮して容積を変化させることができるため、蒸散を防ぐことができる。
【００５９】
＜第７実施形態＞
次に、本発明の第７実施形態について説明する。
なお、第１実施形態と同様の構成については、同一の符号を付してその説明は省略する。
【００６０】
本実施形態においては、図１３に示すように、キャップ部２０Ｃは、取出部２５及び第２挿通部２３が、容器本体１０Ｄの側面より外側に位置するように形成されている。
具体的に、キャップ部２０Ｃは、容器本体１０Ｄの側面より前方に延出する延出部２９を備え、延出部２９に、取出部２５及び第２挿通部２３が配されるようになっている。
また、容器本体１０Ｄも、開口部１１の前端部が前方に延出して当該前端部に蓋部１２が備えられた、キャップ部２０Ｃと合致する形状となっている。
【００６１】
これにより、容器本体１０Ｄの上方に家庭用薄葉紙Ｐを挿通させるための空間を確保する必要がなく、収納容器を全体として低くすることができる。
また、容器本体１０Ｄの大きさに制限されることがないため、取出部２５を使用者が指を入れやすい形状とすることができる。
【符号の説明】
【００６２】
１００  収納容器（家庭用薄葉紙収納容器）
１０、１０Ａ、１０Ｂ、１０Ｃ、１０Ｄ  容器本体
１１  開口部
１２  蓋部（板体）
１２ａ  ヒンジ軸
１３  蓋設置部
１４  変形部材
１５  滑り止め防止部材
１７  蓋部（板状弾性体）
１８  蓋部（弾性体）
１８ａ  保持部
２０、２０Ａ、２０Ｂ、２０Ｃ  キャップ部
２１  上部
２１ａ  凹部
２１ｂ  天面部
２２  挿通部
２３  挿通部
２３ａ  切り込み部
２４  小蓋
２５  取出部
２６  変形部材
２７  ロック部材
２８  遮断壁
２８ａ  第１面
２８ｂ  第２面
２８ｃ  開口部
Ｓ１  領域
Ｓ２  領域
２９  延出部
Ｐ  家庭用薄葉紙
Ｐ１  ミシン目（切離し部）
【図１】
0005534994.tif 000002
【図２】
0005534994.tif 000003
【図３】
0005534994.tif 000004
【図４】
0005534994.tif 000005
【図５】
0005534994.tif 000006
【図６】
0005534994.tif 000007
【図７】
0005534994.tif 000008
【図８】
0005534994.tif 000009
【図９】
0005534994.tif 000010
【図１０】
0005534994.tif 000011
【図１１】
0005534994.tif 000012
【図１２】
0005534994.tif 000013
【図１３】
0005534994.tif 000014